(57)【要約】  ベッドに変換可能な椅子家具に、フレーム（１）と、該フレーム（１）に進入可能且つ該フレームから進出可能な少なくとも１つのキャリッジ（２，３）が設けられている。フレーム（１）及びキャリッジ（２，３）は、シートクッション若しくはベッドクッション（２３，２４，２５）用の支持部としてキャリッジ（２，３）の引出し方向で延在する、片側を固定された複数の貫板（１０，１０ａ，１０ｂ）を有しており、これらの貫板（１０，１０ａ，１０ｂ）は、キャリッジの貫板（１０ａ，１０ｂ）が、キャリッジ（２，３）の進入状態ではフレーム（１）の貫板（１０）の間に位置するような相互間隔を有している。このような家具のためのカバー（２６）は、シーツ（３７）と、このシーツの下位に位置する柔らかい層（３６）とを有している。この柔らかい層（３６）は、巻成に抗して作用する弾性を有しているので、当該層（３６）は巻成後にシーツ（３７）と一緒に自発的に寝台面を覆うように広がる。これにより、簡単且つ快適に利用され得る装置が得られる。
2008532715.tif 000002
【特許請求の範囲】
【請求項１】
ベッドに変換可能な椅子家具であって、フレーム（１）と、該フレーム（１）に進入可能且つ該フレームから進出可能な少なくとも１つのキャリッジ（２，３）とが設けられている形式のものにおいて、
フレーム（１）とキャリッジ（２，３）とが、シートクッション若しくはベッドクッション（２３，２４，２５）のための支持部としてキャリッジ（２，３）の引出し方向で延在する、片側を固定された複数の貫板（１０，１０ａ，１０ｂ）を有しており、これらの貫板（１０，１０ａ，１０ｂ）が、キャリッジの貫板（１０ａ，１０ｂ）が当該キャリッジ（２，３）の進入状態ではフレーム（１）の貫板（１０）の間に位置するような相互間隔を有していることを特徴とする、ベッドに変換可能な椅子家具。
【請求項２】
家具の背面側のフレーム（１）の貫板（１０）が、それぞればね弾性的な横方向貫板（９）に載置されており、該横方向貫板の両側にローラ（１５）が設けられており、これらのローラが前方に向かって上昇するガイド（１６）内を案内されており、これにより、フレーム（１）の貫板（１０）が押し込まれた状態（椅子状態）では当該の貫板が斜め下方に向かって延在しており、当該の貫板（１０）が引き出された状態（寝椅子状態）では水平方向で位置している、請求項１記載の椅子家具。
【請求項３】
前記ガイドが変形された複数のフラットバー（１６）により形成されており、これらのフラットバーが、椅子状態及び寝椅子状態におけるローラ（１５）のための収容ポケット（１７，１８）を１つずつ形成している、請求項２記載の椅子家具。
【請求項４】
フレーム（１）が、２つの金属の側方支持体（４）を有する定置のフレーム部分を備えており、前記側方支持体が、床に支持された脚（６）とガイド（１６）とに結合、殊に溶接されている、請求項２又は３記載の椅子家具。
【請求項５】
貫板（１０）の両端部が側面に少なくとも各１つのストッパ（２０）を有しており、該ストッパが接続するキャリッジのストッパ（２１）と協働する、請求項１から４までのいずれか１項記載の椅子家具。
【請求項６】
貫板（１０，１０ａ，１０ｂ）が一方の端部にリフティング部材（２２）を有しており、該リフティング部材がキャリッジの進入時に当該の貫板を、別のキャリッジの各横方向貫板を越えて持ち上げる、請求項１から５までのいずれか１項記載の椅子家具。
【請求項７】
請求項１から６までのいずれか１項記載の家具の寝台面用のカバーであって、シーツと、該シーツの下位に位置する柔らかい層（３６）とを有している形式のものにおいて、
柔らかい層（３６）が、巻成に抗して作用する弾性を有しており、これにより、当該の層（３６）が巻成後にシーツ（３７）と一緒に自発的に寝台面を被覆するように広がることを特徴とする、家具の寝台面用カバー。
【請求項８】
シーツ（３７）と対向位置する側に、長手方向ではほぼ非弾性的な織布から成るフィットシーツ（３９）が配置されている、請求項７記載のカバー。
【請求項９】
巻成しようとする端部にロッド（４０）が結合されている、請求項７又は８記載のカバー。
【請求項１０】
毛布（４２）がシーツ（３７）上に位置して一緒に巻き込まれる、請求項７記載のカバー。
【請求項１１】
柔らかい層（３６）の寝台面と、この柔らかい層（３６）の下面とが家具生地から成っている、請求項７から１０までのいずれか１項記載のカバー。
【請求項１２】
背もたれの背後に、請求項７から１１までのいずれか１項記載の巻成されたカバー（２６）が配置されていることを特徴とする、背もたれを備えた、寝椅子家具に変換可能な椅子家具。
【請求項１３】
直立した支持部若しくはパネルが巻成されたカバー（２６）の背後に配置されており、当該支持部若しくはパネルと、巻成されたカバー（２６）との間に面ファスナベルトが設けられている、請求項１２記載の椅子家具。
【発明の詳細な説明】
【技術分野】
【０００１】
本発明は、ベッドに変換可能な椅子家具であって、フレームと、該フレームに進入可能且つ該フレームから進出可能な少なくとも１つのキャリッジとが設けられている形式のものに関する。更に本発明は、このような家具の寝台面用のカバーに関する。
【０００２】
本発明の重要な特徴は、フレームとキャリッジとが、シートクッション若しくはベッドクッション用の支持部として、キャリッジの引出し方向で延在する、片側を固定された複数の貫板を有しており、これらの貫板が、キャリッジの貫板が該キャリッジの進入状態ではフレームの貫板の間に位置するような相互間隔を有しているという点にある。
【０００３】
キャリッジの貫板が係合するフレームの貫板の間隔に基づいて、簡単で、しかも正確なガイドが得られる。
【０００４】
本発明の有利な構成では、家具の背面側のフレームの貫板が、ばね弾性的な横方向貫板に載置されており、この横方向貫板の両側にはそれぞれローラが設けられており、これらのローラは前方に向かって上昇するガイド内をガイドされているので、フレームの貫板が押し込まれた状態（椅子状態）では、当該のフレームの貫板は斜め下方に向かって延在し、これらの貫板が引き出された状態（寝椅子状態）では水平方向で位置している。
【０００５】
これにより簡単に、キャリッジの引出し時に自動的に水平方向に移行するシート傾斜面が得られる。
【０００６】
有利には、前記ガイドは変形された複数のフラットバーにより形成されており、これらのフラットバーはそれぞれ、椅子状態及び寝椅子状態におけるローラのための収容ポケットを１つずつ形成している。
【０００７】
今日、高価なベッドは２つのマットレスを有している。つまり、比較的硬い下部マットレスと比較的柔らかい上部マットレスである。上部マットレスは、しばしば「コンフォートマットレス」とも呼ばれる。この比較的柔らかな上部マットレスは就寝状態の体に、比較的大面積にわたる支持を供与する。この硬軟の組合せは、大抵のエキスパートにより理想的な手段であると見なされる。
【０００８】
衛生上の理由から、ベッド又は寝椅子に変換可能な椅子家具の寝台面をシーツで覆うことが一般的である。変換可能な椅子家具又はいわゆる「寝椅子」の場合は、これにより家具生地も保護される。
【０００９】
シーツによる被覆は比較的面倒である。それというのも、シーツは多くの側から引っ張らねばならないからである。従って、シーツによる被覆を簡単にするための複数の提案が既に成された。特に、シーツを場合によっては下敷きと一緒に、不使用時にはオートマチックローラで巻き上げることが提案された。このような提案も、既に実行に移された。
【００１０】
これに応じて本発明の目的は更に、従来よりも簡単に取り扱えるカバーを提供するという点にある。このことは、柔らかい層が巻成に抵抗する弾性を有していることによって達成される。これにより、前記層は巻成後、シーツと共に自発的に寝台面を覆うように広がる。
【００１１】
本発明によるカバーのロールは、例えばベルト等によって保持されて、このベルトの開放後に自発的にシーツと一緒に広がり且つ寝台面を被覆するように位置する。この場合、シーツは面ファスナ、プッシュボタン又は類似の容易に取り外されるべき結合手段によって柔らかい層と結合されていてよい。
【００１２】
この柔らかい層は一般に２つの材料、つまり上部の繊維材料及び下部の発泡材若しくはゴム又はポリエーテルから成っている。
【００１３】
自発的に広がる発泡剤等から成る下敷きは既に公知である。この下敷きは、例えばキャンプの時に地面に敷かれるが、シーツとは結合されていない。従って、シーツによるベッドの被覆は、このような下敷きによっては容易にならない。
【００１４】
以下に、本発明の実施例を図面につき詳しく説明する。
【００１５】
図１から図６では、ベッドに変換可能な椅子家具がフレーム１と、第１のキャリッジ２と、第２のキャリッジ３とを有している。フレーム１は、金属の側方支持体４を備えた不動のフレーム部分と、床に支持された脚５，６とを有している。
【００１６】
可動のフレーム部分は、ばね弾性的な横方向支持体８，９に載置された複数の貫板１０を有しており、これらの貫板１０は相互に間隔をあけて位置している。キャリッジ２，３もそれぞれ複数の貫板１０ａ，１０ｂを有しており、これらの貫板１０ａ，１０ｂは、脚を介して床に支持された、対応するばね弾性的な横方向貫板に載置されている。
【００１７】
図３には例として、キャリッジ３の貫板１０ｂがアングル部材１１と結合されており且つ脚１３と結合された横方向貫板１２に支持されている様子が示されている。
【００１８】
特に図１から明らかなように、貫板１０，１０ａ，１０ｂは、それぞれキャリッジ２，３が互いに入れ子式で内外に摺動可能且つフレーム１内へ摺動可能な相互間隔を有しており、この場合、全ての貫板１０，１０ａ，１０ｂは相並んで位置している。キャリッジ３の引出し時には、アングル部材１１がキャリッジ２を連行する。
【００１９】
快適と感じられるシート傾斜面が得られるようにするためには、図４に相応してフレーム１の横方向貫板９の両側に、ローラ支持体１４を介してそれぞれローラ１５が設けられている。これらのローラ１５は、それぞれ２つの収容ポケット１７，１８を有するフラットバー１６に沿って転動する。前記収容ポケット１７は貫板１０を水平状態で保持し、他方の収容ポケット１８はシート傾斜面を可能にする。
【００２０】
前記フラットバー１６は、それぞれ脚６と後方のフラットバー１９とに溶接されている。
【００２１】
図５には拡大平面図で、図６には対応する側面図で貫板のガイドが示されている。この場合、図５では左側に押し込まれた貫板１０ａ、その右側に引き出された貫板１０ａ、並びに一番右側に貫板１０ｂが示されている。
【００２２】
これによると、貫板１０はその両端部にストッパ２０を有しており、これらのストッパ２０は、対応するキャリッジの押込み・引出し時に貫板１０ａのストッパ２１と協働する。これらのストッパ２１は、押込み時にストッパ２０を押圧し且つ引出し時には当該ストッパ２１は、貫板１０の他端部に配置されたストッパ２０を介してフレーム１の可動部分を図１及び図２に示した位置へ引っ張る。
【００２３】
貫板１０ａ，１０ｂの自由端部が、キャリッジ２，３の押込み時にばね弾性的な各横方向貫板９，１２を越えて持ち上げられるためには、当該の貫板にリフティング部材２２が配置されている。
【００２４】
図７には、１つのキャリッジ２だけを有する本発明による家具が椅子の状態で示されている。従って、この椅子の状態では２つのクッション２３，２４だけが重なり合って位置している。
【００２５】
図８に示した家具は、２つのキャリッジと３つのクッション２３，２４，２５とを備えた、図１及び図２に示した家具にほぼ相当する。
【００２６】
両ケース共、背もたれとしては以下に説明する巻成されたロールマットレス２６が使用される。クッション２３もそれぞれ隆起部２７を有しており、この隆起部２７はフレームの上側部分を被覆する。
【００２７】
図９では、ベッドフレーム３１にマットレス３２が載置されている。ベッドフレーム３１はベッドヘッド３３を有しており、このベッドヘッド３３は中空室３４を有している。この中空室３４は前方をパッドカバー（図示せず）により閉鎖可能である。
【００２８】
マットレス３２上にはカバー２６が位置しており、このカバー２６は柔らかい層３６とシーツ３７とを有している。このシーツ３７は柔らかい層３６と、面ファスナにより結合されている。
【００２９】
柔らかい層３６は、この柔らかい層３６とシーツ３７とから成るロールが自発的に広がることのできるような弾性を有する材料から成っている。図１には、このようなロール（カバー２６）がちょうど広がっているところが示されており、このことは書込み矢印によって示されている。
【００３０】
柔らかい層３６の下位には、一緒に巻かれるフィットシーツ３９が配置されている。このフィットシーツ３９は、長手方向ではほぼ非弾性的な織布、例えばデニムから成っている。このような非弾性的なフィットシーツ３９を配置することにより、柔らかい層３６が巻成時及び巻成後に、その弾性に基づいて外周を拡大させることを防止する。
【００３１】
カバー２６の巻上げ及び展開は、ロッド４０により容易になる。このロッド４０は、カバー２６の巻き込もうとする端部と結合されている。図１０から判るように、このロッド４０はストリップ材４１を介してカバー２６と結合されている。
【００３２】
図１１に示した実施例では、柔らかい層３６の下位に位置するフィットシーツ３９′が、柔らかい層３６を取り囲むシーツ３７′によって形成される。
【００３３】
図９では、シーツ３７上に位置する毛布４２若しくはベッドアイテムをカバー２６に巻き込むことができるということも示唆されている。この場合、毛布４２はおよそ半分しか図示されていない。
【００３４】
その後のロール２６全体（層３６、シーツ３７及び毛布若しくはベッドアイテム４２）は、極めて柔らかな材料から成っている。巻込み時に当該ロールを押圧すること、並びに剛性のロッド及び非弾性的な外面により、前記材料は本来の体積の３分の１未満に圧縮される。
【００３５】
座席又はベッド及びロール２６の少なくとも見える部分が家具生地で被覆されていると、図７及び図８に示したように、ロールを背もたれとして使用することができる。
【００３６】
巻込まれた状態で、カバー（ロール）２６はベッドヘッドの中空室３４に収納可能である。
【００３７】
種々様々な家具において所定のパネルが設けられていてよく、このパネルに向かってロール２６を巻く。例えば面ファスナを配置することにより、ロール２６をパネルにおいて巻かれた状態で保持し続けることができる。
【００３８】
背もたれの背後のロール２６用のスペースは、通常丸い形を有してはいない。背もたれ内の中空室は、大抵ロールよりも高く且つ円錐状に下方に向かって広がっている。非弾性的なフィットシーツ及び剛性のロッドに基づき得られる圧縮にもかかわらず、既存の中空室に嵌め込むためには、ロールはまだ十分に柔らかい。
【００３９】
本発明の枠内で多数の変化態様が可能である。例えば、キャリッジ３には複数の貫板の代わりに、特にＭＤＦ製の１枚のパネルのみを装備することが可能である。この場合は、フレーム１の貫板とキャリッジ２の貫板との間のより小さな間隔が得られることになる。キャリッジ３を省くと縦寝台の代わりに横寝台が生ぜしめられ、このことは本発明の枠内で容易に可能である。
【図面の簡単な説明】
【００４０】
【図１】本発明による家具を寝椅子の状態でクッションを取り外して上から見た図である。
【図２】図１に示した家具を、クッションの置かれた状態で側面から部分的に断面して示した図である。
【図３】図２に符号Ａで示した部分の拡大詳細図である。
【図４】同じく、シート傾斜面を形成するためのローラ装置の拡大図である。
【図５】貫板の配置形式を拡大して示した図である。
【図６】貫板の配置形式を拡大して示した図である。
【図７】本発明による家具を椅子の状態で示した図である。
【図８】本発明による家具を椅子の状態で示した図である。
【図９】本発明によるカバーを備えたベッド若しくは寝椅子の斜視図である。
【図１０】端部にロッドが懸吊されたカバーロールの部分図である。
【図１１】前記カバーの端部を部分的に縦断して示した図である。
【図１】
2008532715.tif 000003
【図２】
2008532715.tif 000004
【図３】
2008532715.tif 000005
【図４】
2008532715.tif 000006
【図５】
2008532715.tif 000007
【図６】
2008532715.tif 000008
【図７】
2008532715.tif 000009
【図８】
2008532715.tif 000010
【図９】
2008532715.tif 000011
【図１０】
2008532715.tif 000012
【図１１】
2008532715.tif 000013
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
寝椅子家具の寝台面用のカバーであって、シーツと、該シーツの下位に位置する柔らかい層（３６）とを有している形式のものにおいて、
柔らかい層（３６）が、巻成に抗して作用する弾性を有しており、これにより、当該の層（３６）が巻成後にシーツ（３７）と一緒に自発的に寝台面を被覆するように広がることを特徴とする、家具の寝台面用カバー。
【請求項２】
シーツ（３７）と対向位置する側に、長手方向ではほぼ非弾性的な織布から成るフィットシーツ（３９）が配置されている、請求項１記載のカバー。
【請求項３】
巻成しようとする端部にロッド（４０）が結合されている、請求項１又は２記載のカバー。
【請求項４】
毛布（４２）がシーツ（３７）上に位置して一緒に巻き込まれる、請求項１記載のカバー。
【請求項５】
柔らかい層（３６）の寝台面と、この柔らかい層（３６）の下面とが家具生地から成っている、請求項１から４までのいずれか１項記載のカバー。
【請求項６】
背もたれの背後に、請求項１から５までのいずれか１項記載の巻成されたカバー（２６）が配置されていることを特徴とする、背もたれを備えた、寝椅子家具に変換可能な椅子家具。
【請求項７】
直立した支持部若しくはパネルが巻成されたカバー（２６）の背後に配置されており、当該支持部若しくはパネルと、巻成されたカバー（２６）との間に面ファスナベルトが設けられている、請求項６記載の椅子家具。
【手続補正２】
【補正対象書類名】明細書
【補正対象項目名】全文
【補正方法】変更
【補正の内容】
【発明の詳細な説明】
【技術分野】
【０００１】
本発明は、寝椅子家具の寝台面用のカバーに関する。
【０００２】
今日、高価なベッドは２つのマットレスを有している。つまり、比較的硬い下部マットレスと比較的柔らかい上部マットレスである。上部マットレスは、しばしば「コンフォートマットレス」とも呼ばれる。この比較的柔らかな上部マットレスは就寝状態の体に、比較的大面積にわたる支持を供与する。この硬軟の組合せは、大抵のエキスパートにより理想的な手段であると見なされる。
【０００３】
衛生上の理由から、ベッド又は寝椅子に変換可能な椅子家具の寝台面をシーツで覆うことが一般的である。変換可能な椅子家具又はいわゆる「寝椅子」の場合は、これにより家具生地も保護される。
【０００４】
シーツによる被覆は比較的面倒である。それというのも、シーツは多くの側から引っ張らねばならないからである。従って、シーツによる被覆を簡単にするための複数の提案が既に成された。特に、シーツを場合によっては下敷きと一緒に、不使用時にはオートマチックローラで巻き上げることが提案された。このような提案も、既に実行に移された。
【０００５】
これに応じて本発明の目的は更に、従来よりも簡単に取り扱えるカバーを提供するという点にある。このことは、柔らかい層が巻成に抵抗する弾性を有していることによって達成される。これにより、前記層は巻成後、シーツと共に自発的に寝台面を覆うように広がる。
【０００６】
本発明によるカバーのロールは、例えばベルト等によって保持されて、このベルトの開放後に自発的にシーツと一緒に広がり且つ寝台面を被覆するように位置する。この場合、シーツは面ファスナ、プッシュボタン又は類似の容易に取り外されるべき結合手段によって柔らかい層と結合されていてよい。
【０００７】
この柔らかい層は一般に２つの材料、つまり上部の繊維材料及び下部の発泡材若しくはゴム又はポリエーテルから成っている。
【０００８】
自発的に広がる発泡剤等から成る下敷きは既に公知である。この下敷きは、例えばキャンプの時に地面に敷かれるが、シーツとは結合されていない。従って、シーツによるベッドの被覆は、このような下敷きによっては容易にならない。
【０００９】
以下に、本発明の実施例を図面につき詳しく説明する。
【００１０】
図１では、ベッドフレーム３１にマットレス３２が載置されている。ベッドフレーム３１はベッドヘッド３３を有しており、このベッドヘッド３３は中空室３４を有している。この中空室３４は前方をパッドカバー（図示せず）により閉鎖可能である。
【００１１】
マットレス３２上にはカバー２６が位置しており、このカバー２６は柔らかい層３６とシーツ３７とを有している。このシーツ３７は柔らかい層３６と、面ファスナにより結合されている。
【００１２】
柔らかい層３６は、この柔らかい層３６とシーツ３７とから成るロールが自発的に広がることのできるような弾性を有する材料から成っている。図１には、このようなロール（カバー２６）がちょうど広がっているところが示されており、このことは書込み矢印によって示されている。
【００１３】
柔らかい層３６の下位には、一緒に巻かれるフィットシーツ３９が配置されている。このフィットシーツ３９は、長手方向ではほぼ非弾性的な織布、例えばデニムから成っている。このような非弾性的なフィットシーツ３９を配置することにより、柔らかい層３６が巻成時及び巻成後に、その弾性に基づいて外周を拡大させることを防止する。
【００１４】
カバー２６の巻上げ及び展開は、ロッド４０により容易になる。このロッド４０は、カバー２６の巻き込もうとする端部と結合されている。図２から判るように、このロッド４０はストリップ材４１を介してカバー２６と結合されている。
【００１５】
図３に示した実施例では、柔らかい層３６の下位に位置するフィットシーツ３９′が、柔らかい層３６を取り囲むシーツ３７′によって形成される。
【００１６】
図１では、シーツ３７上に位置する毛布４２若しくはベッドアイテムをカバー２６に巻き込むことができるということも示唆されている。この場合、毛布４２はおよそ半分しか図示されていない。
【００１７】
その後のロール２６全体（層３６、シーツ３７及び毛布若しくはベッドアイテム４２）は、極めて柔らかな材料から成っている。巻込み時に当該ロールを押圧すること、並びに剛性のロッド及び非弾性的な外面により、前記材料は本来の体積の３分の１未満に圧縮される。
【００１８】
座席又はベッド及びロール２６の少なくとも見える部分が家具生地で被覆されていると、ロールを背もたれとして使用することができる。
【００１９】
巻込まれた状態で、カバー（ロール）２６はベッドヘッドの中空室３４に収納可能である。
【００２０】
種々様々な家具において所定のパネルが設けられていてよく、このパネルに向かってロール２６を巻く。例えば面ファスナを配置することにより、ロール２６をパネルにおいて巻かれた状態で保持し続けることができる。
【００２１】
背もたれの背後のロール２６用のスペースは、通常丸い形を有してはいない。背もたれ内の中空室は、大抵ロールよりも高く且つ円錐状に下方に向かって広がっている。非弾性的なフィットシーツ及び剛性のロッドに基づき得られる圧縮にもかかわらず、既存の中空室に嵌め込むためには、ロールはまだ十分に柔らかい。
【図面の簡単な説明】
【００２２】
【図１】本発明によるカバーを備えたベッド若しくは寝椅子の斜視図である。
【図２】端部にロッドが懸吊されたカバーロールの部分図である。
【図３】前記カバーの端部を部分的に縦断して示した図である。
【手続補正３】
【補正対象書類名】図面
【補正対象項目名】全図
【補正方法】変更
【補正の内容】
【図１】
2008532715.tif 000014
【図２】
2008532715.tif 000015
【図３】
2008532715.tif 000016
【国際調査報告】
2008532715.tif 000017
2008532715.tif 000018
2008532715.tif 000019
2008532715.tif 000020
2008532715.tif 000021
2008532715.tif 000022
2008532715.tif 000023
2008532715.tif 000024
2008532715.tif 000025
2008532715.tif 000026